(57)【特許請求の範囲】
【請求項１】
バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にするものであって、前記水量センサが最低作動水量以上を検出した場合に器具の必要燃焼量よりも少ない燃焼量で燃焼させる制限燃焼制御手段を設けたことを特徴とする給湯器。
【請求項２】
バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にするものであって、前記水量センサが最低作動水量以上を検出した場合に器具の必要燃焼量よりも少ない燃焼量で燃焼させる制限燃焼制御手段を設けるとともに出湯温度の上昇を検出して燃焼制御に移行するか否か判定する判定手段を設けたことを特徴とする給湯器。
【請求項３】
バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にするものであって、前記水量センサが最低作動水量以上を検出した場合に器具の必要燃焼量よりも少ない燃焼量で燃焼させる制限燃焼制御手段を設けるとともに出湯温度の上昇を検出して燃焼制御に移行するか否か判定する判定手段を設け、一定以上の温度上昇があれば燃焼制御に移行し温度上昇が一定未満であれば燃焼を停止する制御手段を設けたことを特徴とする給湯器。
【請求項４】
バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にし、前記水量センサが最低作動水量以上を検出した場合に燃焼制御に移行するものであって、最低作動水量以上を検出後一定時間以内にバイパス水量調節弁の最大漏れ量以上の流量を検出すれば燃焼制御に移行する移行制御手段を設けたことを特徴とする給湯器。
【請求項５】
バーナによって加熱される熱交換器と、該熱交換器を迂回して通水管に設けたバイパス管と、該バイパス管よりも上流側の通水管に設けた水量センサと、熱交換器の下流側の通水管に設けた温度センサおよび過流出を防止する過流出防止弁と、バイパス管に設けたバイパス水量調節弁と、外気温検出センサにより器具の凍結温度を検出した場合に前記バイパス水量調節弁を全閉にし、前記水量センサが最低作動水量以上を検出した場合に燃焼制御に移行するものであって、最低作動水量以上を検出後一定時間後に最低作動水量以上で一定流量未満の流量を検出すれば、前記過流出防止弁の開度を前記最低作動水量と一定流量との間の所定流量に制限する制限手段を設けたことを特徴とする給湯器。
【発明の詳細な説明】
【０００１】
【発明の属する技術分野】
本発明はガス、石油、電気を燃料とする給湯器に関するものである。
【０００２】
【従来の技術】
従来、熱交換器を迂回して通水管にバイパス管を設けると共にバイパス管に水量調節弁を設け、しかも通水管の上流に水量センサを設けた給湯器は知られている。
【０００３】
【発明が解決しようとする課題】
ところが、上記従来の給湯器では、冬季に凍結等により熱交換器内の湯水が凍結して凝固した場合、バイパス側を通過する水があれば、この水流による流水量を水量センサが検知し、器具燃焼に必要な最低作動水量以上を検出すると、バーナに点火し、熱交換器に水が流れていないにもかかわらず燃焼を開始してしまい、空だきに近い状態になるという問題があった。
これを防止するためには、最低作動水量の検出時にバイパス管の水量調節弁を一旦全閉にしてから最低作動水量の検出を行なう方法が考えられる。
しかし、この方法では水量調節弁の構造によっては、バイパス弁からの漏れ量が多く、この漏れ量のみで最低作動水量をクリアしてバーナに点火してしまい、これまた空だき状態となる問題を有していた。
【０００４】
本発明は上記問題に鑑み、バイパス弁からの漏れ量が多い場合でも上記空だきになることを防止した給湯器の提供を課題とする。
【０００５】
【課題を解決するための手段】
上記課題を解決するために、本発明の給湯器は、バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にするものであって、前記水量センサが最低作動水量以上を検出した場合に器具の必要燃焼量よりも少ない燃焼量で燃焼させる制限燃焼制御手段を設けたことを第１の特徴としている。
この第１の特徴によれば、熱交換器内の水が凍結によって凝固したとしてもバイパス水量調節弁を全閉にすることで、給湯カランを開いても水量センサは流量を検出しないので、バーナに点火することはなく安全である。しかも、バイパス水量調節弁の全閉時になんらかの故障原因により弁自体に漏れが生じ、バイパス管に水流が生じて水量センサが最低作動水量以上を検出したとしても、この検出時にはバーナの燃焼量を通常の燃焼量よりも少ない燃焼量で燃焼させるように制限しているので、熱交換器が一気に加熱されることはなくなり、徐々に熱交換器内部の水管が温められて、内部の氷が解け出すこととなり、その後の水温の測定検出を正確に行なえる利点を有する。
【０００６】
また本発明の給湯器は、バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にするものであって、前記水量センサが最低作動水量以上を検出した場合に器具の必要燃焼量よりも少ない燃焼量で燃焼させる制限燃焼制御手段を設けるとともに出湯温度の上昇を検出して燃焼制御に移行するか否か判定する判定手段を設けたことを第２の特徴としている。
上記第２の特徴によれば、凍結の可能性があるときには、バーナを小さな燃焼量で燃焼させるとともに熱交換器から出湯する湯温の上昇度合いを検出することで、上記第１の特徴に加えて、熱交換器が凍結して詰まっている場合は熱交換器に水流が生じないので熱交換器の下流側の温度は上昇せず、また熱交換器が詰まっていない場合には出湯温度は徐々に上昇し、この温度上昇度合いを測定検出することで、熱交換器詰まりを安全に検出することができる。
また本発明の給湯器は、バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にするものであって、前記水量センサが最低作動水量以上を検出した場合に器具の必要燃焼量よりも少ない燃焼量で燃焼させる制限燃焼制御手段を設けるとともに出湯温度の上昇を検出して燃焼制御に移行するか否か判定する判定手段を設け、一定以上の温度上昇があれば燃焼制御に移行し温度上昇が一定未満であれば燃焼を停止する制御手段を設けたことを第３の特徴としている。
この第３の特徴によれば、出湯温度の上昇が一定以上であれば燃焼制御に移行し一定未満であれば燃焼を停止するようにしたことで、安全かつ確実に器具の空たきを防止することができる。
さらに本発明は、バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にし、前記水量センサが最低作動水量以上を検出した場合に燃焼制御に移行するものであって、最低作動水量以上を検出後一定時間以内にバイパス水量調節弁の最大漏れ量以上の流量を検出すれば燃焼制御に移行する移行制御手段を設けたことを第４の特徴としている。
この第４の特徴によれば、熱交換器に確実に水が流れている場合にのみ比例制御等の燃焼制御に移行するので、熱交換器が空たき状態となることなく、器具を安全に使用することができる。
また本発明は、バーナによって加熱される熱交換器と、該熱交換器を迂回して通水管に設けたバイパス管と、該バイパス管よりも上流側の通水管に設けた水量センサと、熱交換器の下流側の通水管に設けた温度センサおよび過流出を防止する過流出防止弁と、バイパス管に設けたバイパス水量調節弁と、外気温検出センサにより器具の凍結温度を検出した場合に前記バイパス水量調節弁を全閉にし、前記水量センサが最低作動水量以上を検出した場合に燃焼制御に移行するものであって、最低作動水量以上を検出後一定時間後に最低作動水量以上で一定流量未満の流量を検出すれば、前記過流出防止弁の開度を前記最低作動水量と一定流量との間の所定流量に制限する制限手段を設けたことを第５の特徴としている。
この第５の特徴によれば、同じ燃焼量に対する出湯温度の上昇が大きくなり、その後の温度検出において検出精度の向上を図ることができる。
【０００７】
【発明の実施の形態】
以下、本発明の実施の形態について図面を参照しながら説明する。図１は本発明の一実施形態を示す給湯器の全体構成図である。図２は本発明の一実施形態を示すフローチャートである。図３は本発明の他の実施形態を示すフローチャートである。
【０００８】
図１において、１は給湯器であり、その内部にはフインに水管を貫通させた熱交換器２、加熱用のガスバーナ３、燃焼空気送風用の送風ファン４、各種の制御を行うための本体コントローラ５を備えている。６は給湯器1を遠隔操作すると共に給湯温度・時刻等の操作情報を画面に表示する表示部７を有するリモコンであり、報知用のブザー８等を内蔵してある。
【０００９】
９は熱交換器２に至る入水管、１０は熱交換器２から後述する浴室カランに至る出湯管である。入水管９および出湯管１０からなり熱交換器２に接続する通水管１１にはその上流側から水管内の通水量を検出する水量センサ１２および入水温度を検出する水温センサ１３を設けている。出湯管１０には熱交換器２により加熱された湯温を検出する感温部材としてのサーミスタ等からなる温度センサ１４を設けてある。この温度センサ１４は湯水を混合させた後の湯温を検出するものであってもよい。
【００１０】
１５はガスバーナ３に至るガス管であり、このガス管１５にはガス通路を開閉するガス電磁弁１６、ガス供給量を制御するガス比例弁１７等を設けてある。そしてバーナの近傍にはイグナイター等の点火電極１８を設けてある。本体コントローラ５とリモコン６とは通信用インターフェースを介して接続され、温度センサ１４、水量センサ１２の他各種センサからの検出信号に基づいて給湯器本体の状態を判定するともに、リモコン６からの制御信号に基づいて給湯器本体の各部（例えばガス電磁弁、ガス比例弁等）の動作を制御するものである。１９は通水管に設けた通水量を調節する過流出防止弁であり、サーボモータによって駆動され通水量を調節するものである。さらに熱交換器２を迂回して通水管にはバイパス管２０を設け、このバイパス管２０にはバイパス管の通水量を調節するためのバイパス水量調節弁２１を設けてある。
【００１１】
２２は給湯器の出湯管１０を延長して設けられ浴槽に至る風呂給湯管でありその末端には浴室カラン２３を設けている。２４は風呂給湯管２２から分岐して設けた一般給湯管であり、その末端には台所カラン２５等を設けてある。給湯器の出湯能力によっては、台所の他洗面所、トイレ等にも給湯カランを設けても良い。
【００１２】
そして、給湯器１の本体コントローラ５には、温度センサ１４、水温センサ１３、水量センサ１２、送風ファン４、点火電極１８、ガス比例弁１７およびガス電磁弁１６、水量調節弁１９等を接続してある。また、本体コントローラ５には前記水量センサ１２が最低作動水量以上を検出した場合に器具の必要燃焼量よりも少ない燃焼量で燃焼させる制限燃焼制御手段の他、各種の制御手段を設けてある。この制御手段としては、例えば温度センサ１４のよる出湯温度の上昇を検出して燃焼制御に移行するか否かを判定する判定手段である。ここで燃焼制御とはバーナに点火した後設定温度等の設定操作に基づいて比例弁によるバーナへの本格的なガス供給量の調節制御を意味するものである。また、この判定手段により一定以上の温度上昇があれば燃焼制御に移行し、温度上昇が一定未満であれば燃焼を停止する制御手段を設けてある。この本体コントローラ５はマイクロコンピュータから構成してある。また、本体コントローラ５には、水量センサにより通水管に流れる水が最低作動水量以上であることを検出後一定時間以内にバイパス水量調節弁の最大漏れ量以上の流量を検出すれば燃焼制御に移行する移行手段を設けても良い。さらに、水量センサが最低作動水量以上を検出後、一定時間後に最低作動水量以上で一定流量未満の流量を検出すれば、過流出防止弁１９の開度を前記最低作動水量と一定流量との間の所定流量に制限する制限手段を設けても良い。
【００１３】
そして、リモコン６には運転スイッチ、液晶表示部材・蛍光管表示部材・タッチパネル等の表示画面からなる表示部７、該表示部７を裏面から照らし画面を見やすくするためのバックライト、出湯温度を調節するための湯温設定器２６、浴槽２１への落し込み総流量を設定する流量設定器２７およびブザー８等を設けてある。なお、２８は器具の凍結温度を検出して作動する外気温検出センサであり、凍結温度を検知したのち一定時間経過するとバイパス管２０に設けたバイパス水量調節弁２１を全閉にするように制御する。
【００１４】
次に、本発明の作動を図２のフローチャートに基づいて説明する。
冬季において、外気温が低下して器具が凍結しているときには、外気温検出センサ２８が作動し（ステップＳ１）本体コントローラ５を介して、バイパス管に設けたバイパス水量調節弁２１を全閉にする（ステップＳ２）。一般には凍結防止ヒータが作動して熱交換器は保護されるのであるが、凍結防止ヒータが故障している状態では凍結が起こりうる。この状態で給湯カラン２５等を開くと、通常では通水が開始されるが、熱交換器およびバイパス管の双方が凍結している場合には通水されず、水量センサ１２も作動せず、従って器具は点火しないので問題はない。
【００１５】
ところが、まれに、熱交換器２は凍結して詰まっているがバイパス管２０はいまだ凍結していない場合であってしかもバイパス水量調節弁２１が故障によって全閉とはならずに開いていたときにはバイパス管２０を経て流れが生じる。このため、水量センサがバーナ点火に必要な最低作動水量以上を検出すると（ステップＳ３でイエスの場合）、次のステップに移り、一定時間（３秒間）以内にバイパス水量調節弁２１の最大漏れ量である１秒間に７リットル以上の流量があるか否かを検出するようにしてある（ステップＳ４）。この水量センサによる検出の結果、７リットル以上の流量があればバイパス管のほかに熱交換器にも通水があることを意味するので、熱交換器２は完全には詰まっていないことになる。そこでこの場合には通常の燃焼量で以後の燃焼制御を行なわせる。
【００１６】
ところが、ステップＳ４において一定時間以内に７リットル／１秒未満の流量しかない場合には、このまま通常の燃焼量で制御すると熱交換器が一気に加熱されて危険である。そこで、この場合には器具の通常の必要燃焼量よりも少ない燃焼量で燃焼させる制限燃焼制御手段により、少量燃焼させることとしている（ステップＳ５）。この燃焼量は通常加熱量の１０分の１程度で良い。これにより熱交換器の急激な加熱による空たき状態となるのを防止することができる。
【００１７】
そして、少量燃焼から一定時間（１０秒間程度）経過後（ステップＳ６でイエスの場合）、温度センサ１４により出湯温度の上昇を検出して（ステップＳ７）、例えば入水温度よりも７℃上昇すれば熱交換器２の詰まりは解消したものと判断されるので、燃焼制御に移行するようにし（ステップＳ８）、そうでない場合（ステップＳ７でノーの場合）には燃焼そのものを停止して安全側に動作させるようにしてある（ステップＳ９）。もちろん、外気温が高い場合（ステップＳ１でノーの場合）には、給湯カランを開いて、水量センサが最低作動水量以上を検出すれば、燃焼制御に移行することには変わりはないものである。
【００１８】
次に、本発明の他の実施形態について図３のフローチャートについて説明する。図２と同じ番号を付けてあるフローは同じ動きであることを示している。
【００１９】
冬季において、外気温が低下して器具が凍結しているときには、外気温検出センサ２８が作動し（ステップＳ１）本体コントローラ５を介して、バイパス管に設けたバイパス水量調節弁２１を全閉にする（ステップＳ２）。
熱交換器２は凍結して詰まっているがバイパス管２０はいまだ凍結していない場合であってしかもバイパス水量調節弁２１が故障によって全閉とはならずに開いていたときにはバイパス管２０を経て流れが生じる。このため、水量センサがバーナ点火に必要な最低作動水量以上を検出すると（ステップＳ３でイエスの場合）、次のステップに移り、一定時間（３秒間）以内にバイパス水量調節弁２１の最大漏れ量である１秒間に７リットル以上の流量があるか否かを検出する（ステップＳ４）。この水量センサによる検出の結果、７リットル以上の流量があればバイパス管のほかに熱交換器にも通水があることを意味するので、熱交換器２は完全には詰まっていないことになる。そこでこの場合には通常の燃焼量で以後の燃焼制御を行なわせる。
ところが、ステップＳ４において一定時間以内に７リットル／１秒未満の流量しかない場合には、このまま通常の燃焼量で制御すると熱交換器が一気に加熱されて危険である。
【００２０】
そこで、この場合には本体コントローラ５により過流出防止弁１９の開度を最低作動水量と一定流量（７リットル／秒）との間の所定流量に制限するようにしてある（ステップＳ１０）。ここで所定流量とは、例えば４リットル／秒程度の流量であることが望ましい。これにより、同じ必要燃焼量に対する出湯温度上昇が大きく見込めるため、温度検出の精度を向上させることができる。またバイパス水量調節弁からの漏れ量にかかわらず一定の流量となるため温度上昇も安定することとなる。そして、この制御に加えて、器具の通常の必要燃焼量よりも少ない燃焼量で燃焼させる制限燃焼制御手段により、少量燃焼させることとしている（ステップＳ５）。この燃焼量は通常加熱量の１０分の１程度で良い。これにより熱交換器の急激な加熱による空たき状態となるのを防止することができる。
【００２１】
そして、少量燃焼から一定時間（１０秒間程度）経過後（ステップＳ６でイエスの場合）、温度センサ１４により出湯温度の上昇を検出して（ステップＳ７）、例えば入水温度よりも７℃上昇すれば熱交換器２の詰まりは解消したものと判断されるので、燃焼制御に移行するようにし（ステップＳ８）、そうでない場合（ステップＳ７でノーの場合）には燃焼そのものを停止して安全側に動作させるようにしてある（ステップＳ９）。もちろん、外気温が高い場合（ステップＳ１でノーの場合）には、給湯カランを開いて、水量センサが最低作動水量以上を検出すれば、燃焼制御に移行することには変わりはないものである。
【００２２】
なお、上述した実施形態は本発明の好適な実施形態を示すものであって、本発明はこれに限定されることなく、その範囲内で各種設計変更可能である。 例えば、上記実施形態においては、熱交換器の出口に設けた温度センサにより湯温を検出しているが、この例に限られずバイパスミキシング後の出湯温度を検出するようにしても良い。
加えて、本実施形態では、温度上昇を検出できない場合には燃焼を停止したままにしているが、一定時間後スタートから再度フローを繰り返すようにしても良い。
さらに、出湯温度の上昇を検出して燃焼制御に移行するか否かを判定するようにしているが、この出湯温度の上昇を検出中に熱交換器の出口温度が一定の高温度（例えば９０℃）を検出した場合にも、熱交換器が詰まっていると判定するようにしても良い。
また同様に上記実施形態では、給湯器本体とリモコンとが有線接続された場合を図示したが、もちろんこれらの間を無線方式で連携させることも可能である。また、ガスを燃料とする給湯器について説明したが石油を燃料とするものであっても良いことはもちろんである。
【００２３】
【発明の効果】
本発明は以上の構成、作用からなり、請求項１に記載の給湯器によれば、バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にするものであって、前記水量センサが最低作動水量以上を検出した場合に器具の必要燃焼量よりも少ない燃焼量で燃焼させる制限燃焼制御手段を設けたので、熱交換器内の水が凍結によって凝固したとしてもバイパス水量調節弁を全閉にすることで、給湯カランを開いても水量センサは流量を検出しないので、バーナに点火することはなく安全である。しかも、バイパス水量調節弁の全閉時になんらかの故障原因により弁自体に漏れが生じ、バイパス管に水流が生じて水量センサが最低作動水量以上を検出したとしても、この検出時にはバーナの燃焼量を通常の燃焼量よりも少ない燃焼量で燃焼させるように制限しているので、熱交換器が一気に加熱されることはなくなり、徐々に熱交換器内部の水管が温められて、内部の氷が解け出すこととなり、その後の水温の測定検出を正確に行なえる利点を有する。
また、請求項２に記載の給湯器によれば、バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にするものであって、前記水量センサが最低作動水量以上を検出した場合に器具の必要燃焼量よりも少ない燃焼量で燃焼させる制限燃焼制御手段を設けるとともに出湯温度の上昇を検出して燃焼制御に移行するか否か判定する判定手段を設けたので、凍結の可能性があるときには、バーナを小さな燃焼量で燃焼させるとともに熱交換器から出湯する湯温の上昇度合いを検出することで、上記第１の特徴に加えて、熱交換器が凍結して詰まっている場合は熱交換器に水流が生じないので熱交換器の下流側の温度は上昇せず、また熱交換器が詰まっていない場合には出湯温度は徐々に上昇し、この温度上昇度合いを測定検出することで、熱交換器詰まりを安全に検出することができる。
また本発明の給湯器は、バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にするものであって、前記水量センサが最低作動水量以上を検出した場合に器具の必要燃焼量よりも少ない燃焼量で燃焼させる制限燃焼制御手段を設けるとともに出湯温度の上昇を検出して燃焼制御に移行するか否か判定する判定手段を設け、一定以上の温度上昇があれば燃焼制御に移行し温度上昇が一定未満であれば燃焼を停止する制御手段を設けたので、出湯温度の上昇が一定以上であれば燃焼制御に移行し一定未満であれば燃焼を停止するようにしたことで、安全かつ確実に器具の空たきを防止することができる。
さらに本発明は、バーナによって加熱される熱交換器と、該熱交換器を迂回して通水管に設けたバイパス管と、該バイパス管よりも上流側の通水管に設けた水量センサと、熱交換器の下流側の通水管に設けた温度センサと、バイパス管に設けたバイパス水量調節弁と、外気温検出センサにより器具の凍結温度を検出した場合に前記バイパス水量調節弁を全閉にし、前記水量センサが最低作動水量以上を検出した場合に燃焼制御に移行するものであって、最低作動水量以上を検出後一定時間以内にバイパス水量調節弁の最大漏れ量以上の流量を検出すれば燃焼制御に移行する移行制御手段を設けたので、熱交換器に確実に水が流れている場合にのみ比例制御等の燃焼制御に移行するので、熱交換器が空たき状態となることなく、器具を安全に使用することができる。
また本発明は、バーナによって加熱される熱交換器と、該熱交換器を迂回して通水管に設けたバイパス管と、該バイパス管よりも上流側の通水管に設けた水量センサと、熱交換器の下流側の通水管に設けた温度センサおよび過流出を防止する過流出防止弁と、バイパス管に設けたバイパス水量調節弁と、外気温検出センサにより器具の凍結温度を検出した場合に前記バイパス水量調節弁を全閉にし、前記水量センサが最低作動水量以上を検出した場合に燃焼制御に移行するものであって、最低作動水量以上を検出後一定時間後に最低作動水量以上で一定流量未満の流量を検出すれば、前記過流出防止弁の開度を前記最低作動水量と一定流量との間の所定流量に制限する制限手段を設けので、同じ燃焼量に対する出湯温度の上昇が大きくなり、その後の温度検出において検出精度の向上を図ることができる。
【図面の簡単な説明】
【図１】本発明を適用した給湯器の全体構成図である。
【図２】本発明の一実施形態を示すフローチャートである。
【図３】本発明の他の実施形態を示すフローチャートである。
【符号の説明】
１   給湯器
２   熱交換器
３   バーナ
５   本体コントローラ
１１  通水管
１２  水量センサ
１４  温度センサ
１９  過流出防止弁
２０  バイパス管
２１  バイパス水量調節弁
２８  外気温検出センサ
【図１】
0004114123.tif 000002
【図２】
0004114123.tif 000003
【図３】
0004114123.tif 000004